(57)【特許請求の範囲】
【請求項１】
筐体の内部に、外部電源と電気的に接続するケーブル接続端子と、ケーブル接続端子に配置するスイッチ部とを備えるテーブルタップであって、
ケーブル接続端子は、端子本体とスイッチ部に突出する接点部とからなり、
スイッチ部は、コンセントプラグが挿入される刃受け部を有し、接点部と離間して配置される刃受け端子と、刃受け端子への導通接続のオン／オフを切り替える操作スイッチと、一端側に接点部または刃受け端子の何れか一方と係合連結する固定部を有し操作スイッチへのオン操作により他端側が変位し前記何れか他方と接触することで接点部と刃受け端子とを導通接続するスイッチ端子と、スイッチケースと、を有し、
スイッチケースが、下側スイッチケースと上側スイッチケースとを有して接点収容部を構成し、その接点収容部が刃受け端子における刃受け部の他端側部分とケーブル接続端子の接点部とスイッチ端子とを収容するテーブルタップ。
【請求項２】
スイッチ部に刃受け部を外部に挿通する開口を有する請求項１記載のテーブルタップ。
【請求項３】
スイッチケースに、操作スイッチの可動機構を収容する操作スイッチ収容部を有する請求項１または請求項２記載のテーブルタップ。
【請求項４】
スイッチケースがケーブル接続端子の接点部を挿通して保持する保持孔を有する請求項１〜請求項３何れか１項記載のテーブルタップ。
【請求項５】
下側スイッチケースと上側スイッチケースの間にケーブル接続端子の端子本体を長手方向に沿って挟持する保持部を有する請求項１〜請求項４何れか１項記載のテーブルタップ。
【請求項６】
スイッチケースが耐熱性樹脂で形成されている請求項１〜請求項５何れか１項記載のテーブルタップ。
【請求項７】
ケーブル接続端子の長手方向に沿って複数のスイッチ部を備える請求項１〜請求項６何れか１項記載のテーブルタップ。
【請求項８】
スイッチ端子は、板ばね形状の接点端子であり、一端側に前記固定部を有し、他端側が片持ち梁状に突出しており操作スイッチの押圧を受けることで前記いずれか他方に対して接離可動となっている請求項１〜請求項７何れか１項記載のテーブルタップ。
【請求項９】
刃受け端子とスイッチ端子とをリベット留めする連結部を有する請求項１〜請求項８何れか１項記載のテーブルタップ。
【請求項１０】
操作スイッチが押釦式であり、筐体の隣接する二面を跨ぐように配置されている操作部を有する請求項１〜請求項９何れか１項記載のテーブルタップ。
【発明の詳細な説明】
【技術分野】
【０００１】
本発明は、スイッチ端子及び刃受け端子を一体的に構成するテーブルタップに関する。
【背景技術】
【０００２】
刃受け端子への導通のオン／オフの切り替えが可能なスイッチ付きのテーブルタップが従来より使用されている。このスイッチとしてはタンブラースイッチが一般的に用いられている（例えば特許文献１参照）。
また従来型スイッチ付きテーブルタップの導通機構としては、刃受け端子と、刃受け端子を支点として可動するシーソー状の金属板スイッチ端子と、金属板スイッチ端子の一端の直下に設けられるケーブル接続端子から構成されるものが一般的に用いられている。各ケーブル接続端子及び刃受け端子はそれぞれ、外部電源と電気的に接続するケーブル接続端子又は刃受け部と半田により固定されている。操作者がスイッチ操作を行うことで金属板スイッチ端子が一端側に傾斜し、ケーブル接続端子と接触することで、各端子、刃受け部及び金属板スイッチ端子への導通がオン状態になる。逆に金属板スイッチ端子の一端側がケーブル接続端子から離れると導通がオフ状態になる。
【先行技術文献】
【特許文献】
【０００３】
【特許文献１】特開２００２−２３７３６１号公報
【発明の概要】
【発明が解決しようとする課題】
【０００４】
しかしながらこのような従来のタンブラースイッチにあっては、シーソー状の金属板は刃受け端子に載せられているだけで連結はしていない。また、金属板スイッチ端子と支点となる刃受け端子との接触が点または線でなされるため、両者の接触面積は小さい。この接触部で両者間の通電が起きるため、部材の加工精度の違いによる接触面積のバラつきが導通効率に大きな違いを生じさせることがある。
【０００５】
また、ケーブル接続端子及び刃受け端子はそれぞれ、外部電源と電気的に接続するケーブル接続端子又は刃受け部との間で半田固定されている。そのため半田の経年劣化や、銅からなる端子と半田の温度変化による収縮率の違いから生ずるクラックの発生により、接触不良を生じやすいという課題がある。さらに半田固定を手作業で行う場合には作業効率が悪い上、作業者の熟練度によって固定度に違いが生じてしまうこともある。
【０００６】
各部品を個別に組み立てるため組立効率及び製品信頼性が低いといった課題もある。さらに、各端子がテーブルタップの筐体内で露出している為、筐体内に液体や塵などの異物が入った場合、これらが端子に付着して導通性能の劣化を生じさせる恐れもある。
【０００７】
本発明はこうした従来のテーブルタップに着目してなされたものである。すなわち、本発明は部品の加工精度の違いによる導通効率への影響を抑えることを目的とする。また本発明は刃受け部またはケーブル接続端子と各端子との間で接触不良を生じさせにくくすることを目的とする。また本発明は組み立て効率を高めることを目的とする。さらに本発明は各端子に異物が付着することによる導通性能の劣化を抑制することを目的とする。
【課題を解決するための手段】
【０００８】
上記目的を達成すべく本発明は以下のように構成される。
すなわち本発明は、筐体の内部に、外部電源と電気的に接続するケーブル接続端子と、ケーブル接続端子に配置するスイッチ部とを備えるテーブルタップであって、ケーブル接続端子は、スイッチ部に突出する接点部と端子本体からなり、スイッチ部は、コンセントプラグが挿入される刃受け部を有し、接点部と離間して配置される刃受け端子と、刃受け端子への導通接続のオン／オフを切り替える操作スイッチと、一端側に接点部または刃受け端子の何れか一方と係合連結する固定部を有し、操作スイッチへのオン操作により他端側が変位し前記何れか他方と接触することで接点部と刃受け端子とを導通接続するスイッチ端子とを有するテーブルタップを提供する。
【０００９】
本発明によれば刃受け端子、操作スイッチ及びスイッチ端子を一つのまとまりのあるスイッチ部として構成し、ケーブル接続端子及びスイッチ部をモジュール化することができる。そのため一つの部品として筐体に組み付けることができる。これにより複数の部品を個別に筐体に組み付ける場合と比較して製造工程を効率化し、生産コストを引き下げることができる。
【００１０】
本発明はスイッチ端子を接点部または刃受け端子の何れか一方と係合連結することにより固定する。
よって、シーソー状の金属板をスイッチ端子として用いる既存のテーブルタップの機構のように、単にケーブル接続端子と接触するだけで固定されていない状態と比較して、接点部または刃受け端子とスイッチ端子とを確実に接触させることができる。
【００１１】
本発明は固定部においてスイッチ端子を接点部または刃受け端子の何れか一方と係合連結する。
よって、半田固定を用いる場合に生じる半田の経年劣化やクラックの発生を防止することができるため、接触不良の発生を抑制することができる。
【００１２】
本発明は、スイッチ部が刃受け部を外部に挿通する開口を有し、刃受け端子における刃受け部の他端側部分と、ケーブル接続端子の接点部と、スイッチ端子とを収容する接点収容部を有するスイッチケースを備えるものとすることができる。
スイッチ部が刃受け端子の一部、接点部及びスイッチ端子とを内部に収容する接点収容部を有するスイッチケースを備えるものである。よって、筐体の中にスイッチケースを有する二重構造となり、筐体の隙間から内部に侵入する液体や塵などの異物が刃受け端子等に付着することによる導通性能の劣化を抑制することができる。
【００１３】
本発明は、スイッチ部が刃受け部を外部に挿通する開口を有し、刃受け端子における刃受け部の他端側部分と、ケーブル接続端子の接点部と、スイッチ端子とを収容する接点収容部と、操作スイッチの可動機構を収容する操作スイッチ収容部とを設けるスイッチケースを備えるものとすることができる。
スイッチ部が刃受け端子の一部、接点部及びスイッチ端子とを内部に収容する接点収容部を有するスイッチケースを備えるものである。よって、筐体の中にスイッチケースを有する二重構造となり、筐体の隙間から内部に侵入する液体や塵などの異物が刃受け端子等に付着することによる導通性能の劣化を抑制することができる。
また、操作スイッチの可動機構を収容する操作スイッチ収容部を有するスイッチケースを備える。よって、筐体の中にスイッチケースを有する二重構造となり、筐体の隙間から内部に侵入する液体や塵などの異物が操作スイッチ可動機構に付着して可動機構が故障することを抑制することができる。
【００１４】
本発明は、スイッチケースがケーブル接続端子の接点部を挿通して保持する保持孔を有するものとすることができる。
接点部を接点収容部に収容するために端子本体を接点収容部の内部に挿通する場合には、端子本体を接点収容部の内側に通すための挿通孔をスイッチケースに２つ設ける必要がある。しかし、本発明によれば下側スイッチケースがケーブル接続端子の接点部を挿通して保持する保持孔を有するため、端子本体を接点収容部の外部に配置し、接点部だけを内部に収容することができる。これにより、挿通孔を１つ設けるだけで接点部を接点収容部に収容することができるため、筐体内に侵入した液体や塵などの異物が接点収容部に侵入し、刃受け端子等に付着する恐れを少なくすることができる。
【００１５】
本発明は、スイッチケースが接点収容部を構成する下側スイッチケースと上側スイッチケースとを有しており、下側スイッチケースと上側スイッチケースの間にケーブル接続端子の端子本体を長手方向に沿って挟持する保持部を有するものとすることができる。
下側スイッチケースと上側スイッチケースの間にケーブル接続端子の端子本体を長手方向に沿って挟持する保持部を有するため、端子本体に対するスイッチ部の脱落や位置ずれを防止し、端子本体に確実に保持することができる。
【００１６】
本発明はスイッチケースが耐熱性樹脂で形成されるものとすることができる。
スイッチケースが耐熱性樹脂で形成されるため、内部に収容する刃受け端子等が導通に伴い発熱する場合にも、スイッチケースが変形することなく形状を維持することができる。
【００１７】
本発明はケーブル接続端子の長手方向に沿って複数のスイッチ部を備えるものとすることができる。
長手方向に沿って複数のスイッチ部を備えるため、複数のコンセントプラグを同時に使用可能なテーブルタップを提供することができる。また、ケーブル接続端子及び複数のスイッチ部をモジュール化して一体的に生産することができるため、筐体に個別に組み付ける場合と比較して一層の作業の効率化を図ることができる。
【００１８】
本発明は、スイッチ端子が板ばね形状の接点端子であり、一端側に前記固定部を有し、他端側が片持ち梁状に突出しており操作スイッチの押圧を受けることで前記いずれか他方に対して接離可動とすることができる。
スイッチ端子が板ばね形状の接点端子でなるため、シーソー状からなる場合と比較して接点部または刃受け端子の何れか一方と、より確実に接触することができる。また、接触面積が広いため部品の加工精度の違いによる製品ごとの性能の差が生じにくい。
【００１９】
本発明は刃受け端子とスイッチ端子とをリベット留めする連結部を有するものとすることができる。
刃受け端子とスイッチ端子とをリベット留めする連結部を有するため、半田固定などを用いる場合と比較してより確実に両者の連結状態を維持することができる。
【００２０】
本発明は操作スイッチが押釦式であり、筐体の隣接する二面を跨ぐように配置されている操作部を有するものとすることができる。
操作スイッチを押釦式としているため押圧部が１か所しかない。よってタンブラースイッチのように押圧部が２か所ある場合と比較してより直感的に操作することができる。また、操作部は筐体の隣接する二面を跨ぐように配置されるため、一面にのみ配置される場合と比較して操作者が操作部を視認しやすく、操作も容易である。さらに、操作部の上端面は筐体と面一になるように形成することで、美観性に優れるテーブルタップとすることができる。
【発明の効果】
【００２１】
本発明はスイッチ端子と刃受け端子とを確実に連結することで、部材の加工精度の違いによる導通効率への影響を抑えることができる。
また、両者を係合連結することで、経年劣化や固定部におけるクラックの発生などによる接触不良を生じさせにくくすることができる。
ケーブル接続端子及びスイッチ部をモジュール化することで、生産効率の向上、生産コストの低下及び製品信頼性の向上を図ることができる。
さらに刃受け端子における刃受け部の他端側部分、接点部及びスイッチ端子を内部に収容する接点収容部を有するスイッチケースを備えることで、各端子が筐体内で露出して異物が付着することによる導通性能の劣化を抑制することができる。
【図面の簡単な説明】
【００２２】
【図１】本発明の一実施形態によるテーブルタップの斜視図である。
【図２】図１で示すテーブルタップの分解斜視図である。
【図３】図２で示すスイッチ部の分解斜視図である。
【図４】図３で示す操作スイッチを除くスイッチ部の断面図である。
【図５】図２で示す保持部の断面図である。
【発明を実施するための最良の形態】
【００２３】
以下、本発明によるテーブルタップ１の一実施形態について図面を参照しつつ説明する。
【００２４】
本実施形態のテーブルタップ１は、筐体２の内部に、ケーブル３を介して外部電源（図示略）と電気的に接続する一対のケーブル接続端子４と、その内の一方のケーブル接続端子４に配置するスイッチ部５とを備える。ケーブル接続端子４及びスイッチ部５は、スイッチモジュール６を構成する。
【００２５】
（筐体）
図１、図２で示すように筐体２は樹脂でなる直方体形状であり、蓋部２ａと底部２ｂからなる。筐体２の側部にはケーブル３を保持し、筐体２に連結するケーブル保持部７が配置される。また蓋部２ａにはコンセントプラグ（図示略）を挿入する差込口８が３つ並列して設けられており、それぞれの差込口８と隣接する位置に操作スイッチ９を配置するためのスイッチ孔１０を有する。このスイッチ孔１０は蓋部２ａの上面から側面にかけて、二面を跨ぐように設けられている。３つの差込口８の内、中央の差込口８ａと、ケーブル保持部７から最も離れた位置に設けられる差込口８ｂとの間隔は、ケーブル保持部７の側に設けられた差込口８ｃとの間隔よりも広く設定されている。これにより差込口８ｂに幅広のＡＣアダプタ等を差し込んでも、隣接する差込口８ａが塞がれることを防止することができる。
【００２６】
（ケーブル接続端子の端子本体と接点部）
ケーブル接続端子４は細帯状の銅板からなり、端子本体４ａの長手方向に３つの接点部４ｂを有する。これらの接点部４ｂは長手方向に対して垂直方向であって、水平方向に突出する突出片として形成されており、接点部４ｂには上面が平坦な接点突起４ｃが設けられている。また、接点部４ｂは３つとも同一方向に向かって同じ長さで突出する。
【００２７】
（スイッチ部）
図３で示すようにスイッチ部５は操作スイッチ９、スイッチケースとしての接点収容ケース１１、スイッチ端子１２及び刃受け端子１３を有する。操作スイッチ９は操作部としてのスイッチカバー１４、スイッチベゼル１５及び可動機構部１６から構成される。
【００２８】
またスイッチカバー１４は筐体２に設けられるスイッチベゼル１５に対して、上下方向へのスライド移動が可能な状態で保持される。図１で示すように、スイッチカバー１４の上端面は平坦に構成されており、導通がオフ状態のときには筐体２の上面と面一になるように設けられている。操作者が下向きに押圧操作をすることでスイッチカバー１４は下方に押し込まれ、導通がオン状態に切り替わる。操作者がスイッチカバー１４から指を離してもスイッチカバー１４の上端面は筐体２の上面よりも下がった位置で維持されるため、導通のオン状態が保たれる。再度、スイッチカバー１４の押圧操作をすることでスイッチカバー１４の上端面と筐体２の上面は面一になり、導通がオフ状態に戻る。
【００２９】
スイッチベゼル１５は、蓋部２ａに設けられるスイッチ孔１０にはめ込んだ状態で係止され、スイッチカバー１４の押圧操作時にスイッチカバー１４を下方に誘導するガイド部として機能する。非押圧状態（オフ状態）または押圧状態（オン状態）のいずれの状態においても、スイッチベゼル１５の一部は筐体２の外部から視認できるようになっている。すなわち、非押圧状態でありスイッチカバー１４がスイッチベゼル１５の上方に位置しているときは、スイッチカバー１４の下側にスイッチベゼル１５の下部１５ａが視認できる。逆に押圧状態であり、スイッチカバー１４がスイッチベゼル１５の下方に位置しているときは、スイッチカバー１４の上側にスイッチベゼル１５の上部１５ｂが視認できる。よってスイッチベゼル１５のどの部分が筐体２の外部から視認できるかを確認することで、導通がオン状態とオフ状態のいずれの状態であるかを判断することができる。また、本実施形態ではスイッチベゼル１５とスイッチカバー１４を異なる色で着色しているため、さらにこの判断が容易となっている。
【００３０】
操作スイッチ９を押釦式としているため押圧部は１か所しかない。よってタンブラースイッチのように押圧部が２か所ある場合と比較してより直感的に操作することができる。またスイッチベゼル１５の下には操作スイッチ収容部１７及び可動機構部１６が配置される。
【００３１】
可動機構部１６はスイッチベース１６ａ、プッシュ棒１６ｂ、回転子１６ｃ、バネ１６ｄ及びバネ蓋１６ｅからなる。可動機構部１６はオルタネート式であり、操作者がスイッチカバー１４の押圧操作をすることでバネ１６ｄが収縮し、操作者がスイッチカバー１４から指を離してもバネ１６ｄの収縮状態が維持される。さらに再度、スイッチカバー１４の押圧操作を行うことでバネ１６ｄの収縮が解除される。
【００３２】
図４で示すように、接点収容ケース１１は接点収容ケース上部１１ａと接点収容ケース下部１１ｂから構成される。接点収容ケース上部１１ａと接点収容ケース下部１１ｂは、組み合わされた状態で刃受け端子１３における刃受け部１３ａの他端部１３ｂ、ケーブル接続端子４の接点部４ｂ及びスイッチ端子１２を収容する接点収容部１８を形成する。これにより筐体２の中に接点収容ケース１１を有する二重構造となり、筐体２の隙間から内部に侵入する液体や塵などの異物が刃受け端子１３などに付着することによる導通性能の劣化を抑制することができる。また接点収容ケース１１は耐熱性樹脂からなるため、導通状態でスイッチ端子１２などが発熱することによる変形を防止することができる。
【００３３】
接点収容ケース下部１１ｂは、ケーブル接続端子４の接点部４ｂを接点収容部１８の内部に挿通して保持する保持孔１９を有する。仮に接点部４ｂを接点収容部１８に収容するために端子本体４ａまでも接点収容部１８の内部に挿通するものとすると、端子本体４ａを通すための孔や溝を接点収容ケース１１の２か所に設ける必要が生じる。しかし、本実施形態によれば接点収容ケース下部１１ｂがケーブル接続端子４の接点部４ｂだけを挿通して保持する保持孔１９を有するため、端子本体４ａを接点収容部１８の外部に配置し、接点部４ｂだけを内部に収容することができる。これにより、保持孔１９を１つ設けるだけで接点部４ｂを接点収容部１８に収容することができるため、筐体２内に侵入した液体や塵などの異物が接点収容部１８に侵入し、刃受け端子１３などに付着する恐れを少なくすることができる。
また、ケーブル接続端子４の複数の接点部４ｂを、それぞれに対応するスイッチ部５の保持孔１９に挿通させることで、長手方向に複数のスイッチ部４を有するスイッチモジュール６を形成することができる。
【００３４】
また図２、図５で示すように、接点収容ケース上部１１ａと接点収容ケース下部１１ｂは、組み合わされた状態で端子本体４ａを長手方向に沿って保持する保持部２０を形成する。保持部２０は、接点収容ケース下部１１ｂの外側に設けられる段部２０ａと、接点収容ケース上部１１ａの側壁２０ｂからなる。段部２０ａが端子本体４ａを保持した状態で、接点収容ケース上部１１ａと接点収容ケース下部１１ｂが組み合わされることで、端子本体４ａは段部２０ａと側壁２０ｂによって挟持される。これによりスイッチ部５の脱落や位置ずれを防止し、端子本体４ａに確実に保持することができる。
接点収容ケース下部１１ｂの内側の底部には接点部４ｂ及びスイッチ端子１２の位置決めをし、それらの板厚を挟持することで脱落を防ぐ取付部２１ａ、２１ｂがそれぞれ設けられている。
【００３５】
可動機構部１６は操作スイッチ収容部１７に収容される。操作スイッチ収容部１７は操作スイッチ収容部上部１７ａと操作スイッチ収容部下部１７ｂが組み合わされることで形成される。これにより筐体２の内部に侵入した異物が可動機構部１６に付着することによる、可動機構部１６の故障を予防することができる。
操作スイッチ収容部上部１７ａ、操作スイッチ収容部下部１７ｂ及び接点収容ケース上部１１ａ、はそれぞれ可動機構部１６を挿通する可動機構挿通孔２２ａ、２２ｂ及び２２ｃを有する。これにより、可動機構部１６は操作スイッチ収容部上部１７ａなどに妨げられることなく自由に可動できる。また、操作スイッチ収容部下部１７ｂと接点収容ケース上部１１ａは単一の樹脂成形体から形成されるため、部品点数の増加を抑えることができる。
【００３６】
スイッチ端子１２は板ばね形状であり、固定部１２ａとは反対側の先端部１２ｂが片持ち梁状に突出している。可動機構部６の下端に設けられるバネ蓋１６ｅはスイッチ端子１２と接触している。また、スイッチ端子１２は固定部１２ａにおいて、リベット２３により刃受け端子１３と連結される。
スイッチ端子１２が板ばね形状からなり、固定部１２ａで刃受け端子１３と連結しているため、シーソー状からなる場合と比較して刃受け端子１３とより確実に接触することができる。また、接触面積が広いため部品の加工精度の違いによる製品ごとの性能の差が生じにくい。また、連結方法としてリベット２３を用いることで、半田固定する場合と比較して固定部１２ｂの経年劣化やクラックの発生を抑制することができる。
【００３７】
刃受け端子１３は接点部４ｂと離間して配置され、コンセントプラグ（図示略）が挿入される刃受け部１３ａを有する。刃受け部１３ａは接点収容ケース１１の開口部２４から突出して設けられる。
【００３８】
（使用状態の説明）
非押圧状態（オフ時）において操作スイッチ９は筐体２の上面及び側面の二面において面一になっている。よって筐体２から突出しないため美観性に優れ、また異物が操作スイッチ９にぶつかることによる破損や、誤って操作スイッチ９に触れ、押圧操作をしてしまうことを予防できる。
【００３９】
操作者がスイッチカバー１４を押し込むとスイッチカバー１４の上端面が筐体２の上面よりも下がる。スイッチカバー１４はテーブルタップ１を組み立てた状態で筐体２の上面及び側面の二面を跨ぐように配置されるため、押圧操作がしやすく、かつ導通のオンまたはオフ状態の視認がしやすい。操作スイッチ９を押圧することで可動機構部１６が働き、バネ蓋１６ｅがスイッチ端子１２の先端部１２ｂを押し下げる。これにより先端部１２ｂがケーブル接続端子４の接点突起４ｃと接触し、刃受け端子１３への導通がオン状態となる。可動機構部１６はオルタネート式であり、操作者がスイッチカバー１４の押圧操作をした後で指を離しても、スイッチカバー１４の上端面は筐体２の上面よりも下がった位置で保たれ、導通のオン状態が維持される（図２）。
また再度押圧操作をすることでスイッチカバー１４の上端面は筐体２の上面と面一となる位置に戻り、刃受け端子１３への導通がオフ状態となる。
【００４０】
（変形例）
本実施形態では、差込口８を３つ有するテーブルタップ１を示したが、数はこれに限られない。
また、本実施形態では、導通がオン状態においてはスイッチカバー１４の上端面が筐体２の上面よりも下がる例を示したが、導通がオン状態にあっても筐体２の上面と側面の二面に渡って面一となるようにすることもできる。これにより、オン状態であっても美観性に優れたものとすることができる。また、オフ状態では突出しているが、オン状態では筐体２の上面及び側面と面一とすることもできる。
本実施形態では二本のケーブル接続端子４のうち一方側にのみスイッチ部を設ける例を示したが、ケーブル接続端子４の双方にスイッチ部を設けることもできる。これにより、複数の操作スイッチ９を長手方向の両側に分けて配置することができるため、テーブルタップ１のデザイン上の自由度が上がる。
【符号の説明】
【００４１】
１        テーブルタップ
２        筐体
２ａ    蓋部
２ｂ    底部
３        ケーブル
４        ケーブル接続端子
４ａ    端子本体
４ｂ    接点部
４ｃ    接点突起
５        スイッチ部
６        スイッチモジュール
７        ケーブル保持部
８        差込口
８ａ    差込口
８ｂ    差込口
８ｃ    差込口
９        操作スイッチ
１０      スイッチ孔
１１      接点収容ケース
１１ａ  接点収容ケース上部  
１１ｂ  接点収容ケース下部
１２      スイッチ端子
１２ａ  固定部
１２ｂ  先端部
１３      刃受け端子
１３ａ  刃受け部
１３ｂ  他端部
１４      スイッチカバー
１５      スイッチベゼル
１６      可動機構部
１６ａ  スイッチベース
１６ｂ  プッシュ棒
１６ｃ  回転子
１６ｄ  バネ
１６ｅ  バネ蓋
１７      操作スイッチ収容部
１７ａ  操作スイッチ収容部上部
１７ｂ  操作スイッチ収容部下部
１８      接点収容部
１９      保持孔
２０      保持部
２０ａ  段部
２０ｂ  側壁
２１      取付部
２１ａ  取付部
２１ｂ  取付部
２２      可動機構挿通孔
２２ａ  可動機構挿通孔
２２ｂ  可動機構挿通孔
２２ｃ  可動機構挿通孔
２３      リベット
２４      開口部
【図１】
0005537620.tif 000002
【図２】
0005537620.tif 000003
【図３】
0005537620.tif 000004
【図４】
0005537620.tif 000005
【図５】
0005537620.tif 000006